(57)【要約】【課題】操作性に問題がなく、従来よりも優れた外観を有するガラスルーバー窓を提供することを課題とする。【解決手段】建物開口部に沿って備えられる枠体と、該枠体の見付け方向に複数並列して設けられるとともに、ホルダ及び該ホルダに保持される少なくとも１枚のルーバーガラスを備えるルーバーウイングと、ホルダに連結する連動バーと、該連動バーを操作する操作部と、を備え、操作部によって連動バーが操作されることで、ルーバーウイングが滑り出し式に開閉するものとする。【選択図】図８
2010248893.tif 000002
【特許請求の範囲】
【請求項１】
建物開口部に沿って備えられる枠体と、
該枠体の見付け方向に複数並列して設けられるとともに、ホルダ及び該ホルダに保持される少なくとも１枚のルーバーガラスを備えるルーバーウイングと、
前記ホルダに連結する連動バーと、
該連動バーを操作する操作部と、を備え、
前記操作部によって連動バーが操作されることで、前記ルーバーウイングが滑り出し式に開閉する、ガラスルーバー窓。
【請求項２】
複数並列された前記ルーバーウイングが閉鎖された姿勢において、室内側に面する複数の前記ルーバーガラスが室内側面で面一とされる、請求項１に記載のガラスルーバー窓。
【請求項３】
前記ルーバーウイングには、それぞれ、室内側に面する室内側ルーバーガラスと、室外側に面する室外側ルーバーガラスと、が備えられ、
前記ルーバーウイングの閉鎖の姿勢において、複数の前記室内側ルーバーガラスが室内側面で面一とされ、且つ、複数の前記室外側ルーバーガラスが室外側面で面一とされている、請求項１に記載のガラスルーバー窓。
【請求項４】
前記ルーバーウイングには、それぞれ、室内側に面する樹脂からなる室内側ルーバーパネルと、室外側に面する室外側ルーバーガラスと、が備えられ、
前記ルーバーウイングの閉鎖の姿勢において、複数の前記室内側ルーバーパネルが室内側面で面一とされ、且つ、複数の前記室外側ルーバーガラスが室外側面で面一とされている、請求項１に記載のガラスルーバー窓。
【請求項５】
前記ルーバーウイングには、それぞれ、室内側に面する室内側ルーバーガラスと、室外側に面する室外側ルーバーガラスと、が備えられ、
前記ルーバーウイングの閉鎖の姿勢において、複数の前記室内側ルーバーガラスが室内側面で面一とされ、且つ、複数の前記室外側ルーバーガラスが、見込み方向に互いに重なりを有している、請求項１に記載のガラスルーバー窓。
【請求項６】
前記ルーバーウイングには、それぞれ、室内側に面する樹脂からなる室内側ルーバーパネルと、室外側に面する室外側ルーバーガラスと、が備えられ、
前記ルーバーウイングの閉鎖の姿勢において、複数の前記室内側ルーバーパネルが室内側面で面一とされ、且つ、複数の前記室外側ルーバーガラスが、見込み方向に互いに重なりを有している、請求項１に記載のガラスルーバー窓。
【請求項７】
前記ルーバーウイングの閉鎖の姿勢において、前記ホルダが、室内正面視で前記枠体により隠蔽されている、請求項１〜６のいずれかに記載のガラスルーバー窓。
【請求項８】
複数並列された前記ルーバーガラス又は前記ルーバーパネルの端部にパッキンが備えられ、前記ルーバーウイングの閉鎖の姿勢で該パッキンが隣接するルーバーガラス又はルーバーパネルに接している、請求項２〜７のいずれかに記載のガラスルーバー窓。
【請求項９】
前記枠体には、前記ルーバーウイングの閉鎖の姿勢で室内側に面する前記ルーバーガラス又は前記ルーバーパネルよりも見込み方向室内側に、シール部材が配置され、該シール部材は、前記ルーバーウイングの閉鎖の姿勢で前記室内側に面するルーバーガラス又はルーバーパネルに接している、請求項２〜８のいずれかに記載のガラスルーバー窓。
【発明の詳細な説明】
【技術分野】
【０００１】
本発明は住宅や公共施設等の建物開口部に好適に用いられるガラスルーバー窓に関する。
【背景技術】
【０００２】
建物開口部に備えられる開口部装置の一つとして、ガラスルーバー窓がある。当該ガラスルーバー窓は、開口部に沿って設けられる枠体と、該枠体の枠内に複数並列して備えられるルーバーウイングとを有する。ルーバーウイングは、ルーバーガラスとホルダとを有しており、開口面の上下に沿って並列されている場合が多い。そして複数のルーバーウイングの各々を回動させることで、ルーバー窓が開閉され、室内の換気等を行うことができる。ルーバーウイングの回動には、連動バーやオペレータ等が用いられる。
【０００３】
具体的には、ガラスルーバー窓は、例えば特許文献１の図４に示されるように、ハンドル等の操作部を操作してアームや連動バーを動作させ、当該アームや連動バーの動作によってルーバーウイングが回動されることで開閉する。当該回動は、ホルダの略中央を軸とした回転であるため、ルーバーウイングが開放されるにつれ、ルーバーガラス上縁は室内側へ、下縁は室外側へと移動することになる。
【先行技術文献】
【特許文献】
【０００４】
【特許文献１】特開２０００−１７９２４６号公報
【発明の概要】
【発明が解決しようとする課題】
【０００５】
特許文献１に示されたような従来のガラスルーバー窓にあっては、その閉鎖の姿勢で隣接するルーバーガラスの上端と下端とが互いに重なりを有して並列されている。そのため、閉鎖するとルーバーガラス面に凹凸が表れ、この凹凸が外観に影響を及ぼす場合があった。
【０００６】
また、ルーバーウイングに備えられるホルダは、通常、金属等の強度の高い材料により形成され透光性がない。従来においては、このホルダが室内視において露出する形態であったため、当該ホルダが室内視の外観に影響を及ぼす場合があった。
【０００７】
また、窓の気密性、断熱性を向上させるためにガラスルーバー窓の枠体とルーバーガラスとが接する部位の枠体にシール部材を設ける場合が多い。従来のガラスルーバー窓では、ルーバーガラス面の上縁側に接する枠体のシール部材はルーバーガラスよりも室外側に存在し、且つ、ルーバーガラス面の下縁側に接する枠体のシール部材はルーバーガラスよりも室内側に存在している。これは、上述のように、ルーバー窓開放の状態から閉鎖の状態に向かう際、ルーバーガラスの上縁は室外側に向かって回動し、ルーバーガラスの下縁は室内側に向かって回動し、当該閉鎖に向かう回動の突き当たりにシール部材を設けるためである。しかしながら、従来のこのような形態にあっては、シール部材による気密ライン、断熱ラインが室内外方向で同一位置とならないため、十分な気密性、断熱性が得られない場合があった。
【０００８】
さらに、ルーバーウイングは、ホルダ及び少なくとも一枚のルーバーガラスを備えているので部材としての重量が大きい。そのため、操作部を操作してガラスルーバー窓の開閉を行う際には、操作のために多くの力が必要となりがちである。従来においては、ルーバーウイングの略中央を軸とした回動により、ルーバーウイングを開閉することで、操作性を向上させていた。
【０００９】
本発明は上記問題点に鑑み、操作性に問題がなく、従来よりも優れた外観を有するガラスルーバー窓を提供することを課題とする。また、このガラスルーバー窓に基づいてさらに気密性及び断熱性にも優れるガラスルーバー窓を提供する。
【課題を解決するための手段】
【００１０】
以下、本発明について説明する。尚、本発明の理解を容易にするために添付図面の参照符号を括弧書きにて付記するが、それにより本発明が図示の形態に限定されるものではない。また、本明細書において、「見付け方向」とは、建物開口部に備えられるガラスルーバー窓の開口面に沿った方向を意味する。また、「見込み方向」とはガラスルーバー窓の開口面と直交する方向（厚さ方向）を意味し、「見込み方向室外側」とは、ガラスルーバー窓が建物に取り付けられた姿勢で室外側となる方向であり、「見込み方向室内側」は、ガラスルーバー窓が建物に取り付けられた姿勢で室内側となる方向である。
【００１１】
請求項１に記載の発明は、建物開口部に沿って備えられる枠体（１０）と、該枠体の見付け方向に複数並列して設けられるとともに、ホルダ（２１）及び該ホルダに保持される少なくとも１枚のルーバーガラス（２２）を備えるルーバーウイング（２０）と、ホルダに連結する連動バー（３０）と、該連動バーを操作する操作部（７０）と、を備え、操作部によって連動バーが操作されることで、ルーバーウイングが滑り出し式に開閉する、ガラスルーバー窓（１００）である。
【００１２】
請求項２に記載の発明は、請求項１に記載のガラスルーバー窓（１００）において、複数並列されたルーバーウイング（２０）が閉鎖された姿勢において、室内側に面する複数のルーバーガラス（２２ａ、２２ａ、…）が室内側面で面一とされることを特徴とする。
【００１３】
請求項３に記載の発明は、請求項１に記載のガラスルーバー窓において、ルーバーウイングには、それぞれ、室内側に面する室内側ルーバーガラスと、室外側に面する室外側ルーバーガラスと、が備えられ、ルーバーウイングの閉鎖の姿勢において、複数の室内側ルーバーガラスが室内側面で面一とされ、且つ、複数の室外側ルーバーガラスが室外側面で面一とされていることを特徴とする。
【００１４】
請求項４に記載の発明は、請求項１に記載のガラスルーバー窓において、ルーバーウイングには、それぞれ、室内側に面する樹脂からなる室内側ルーバーパネルと、室外側に面する室外側ルーバーガラスと、が備えられ、ルーバーウイングの閉鎖の姿勢において、複数の室内側ルーバーパネルが室内側面で面一とされ、且つ、複数の前記室外側ルーバーガラスが室外側面で面一とされていることを特徴とする。
【００１５】
請求項５に記載の発明は、請求項１に記載のガラスルーバー窓において、ルーバーウイングには、それぞれ、室内側に面する室内側ルーバーガラスと、室外側に面する室外側ルーバーガラスと、が備えられ、ルーバーウイングの閉鎖の姿勢において、複数の室内側ルーバーガラスが室内側面で面一とされ、且つ、複数の室外側ルーバーガラスが、見込み方向に互いに重なりを有していることを特徴とする。
【００１６】
請求項６に記載の発明は、請求項１に記載のガラスルーバー窓において、ルーバーウイングには、それぞれ、室内側に面する樹脂からなる室内側ルーバーパネルと、室外側に面する室外側ルーバーガラスと、が備えられ、ルーバーウイングの閉鎖の姿勢において、複数の室内側ルーバーパネルが室内側面で面一とされ、且つ、複数の室外側ルーバーガラスが、見込み方向に互いに重なりを有していることを特徴とする。
【００１７】
請求項７に記載の発明は、請求項１〜６のいずれかに記載のガラスルーバー窓のルーバーウイングの閉鎖の姿勢において、ホルダが、室内正面視で枠体により隠蔽されていることを特徴とする。
【００１８】
請求項８に記載の発明は、請求項２〜７のいずれかに記載のガラスルーバー窓において、複数並列されたルーバーガラス又はルーバーパネルの端部にパッキンが備えられ、ルーバーウイングの閉鎖の姿勢で、該パッキンが隣接するルーバーガラス又はルーバーパネルに接していることを特徴とする。
【００１９】
請求項９に記載の発明は、請求項２〜８のいずれかに記載のガラスルーバー窓において、前記枠体には、ルーバーウイングの閉鎖の姿勢で室内側に面するルーバーガラス又はルーバーパネルよりも見込み方向室内側に、シール部材が配置され、該シール部材は、ルーバーウイングの閉鎖の姿勢で室内側に面するルーバーガラス又はルーバーパネルに接していることを特徴とする。
【発明の効果】
【００２０】
本発明によれば、ルーバーウイングが滑り出し式に開閉されるガラスルーバー窓とされるため、ルーバーウイングを開閉させる際、ルーバーウイング閉鎖の姿勢時よりも室内側にホルダやルーバーガラスが突出することがない。これにより特に室内視において外観に優れたガラスルーバー窓を提供することができる。
また、ルーバーウイングの開閉は、閉鎖の姿勢よりも室外側の動作のみで行われるので、室内側にルーバーウイングが動作するための空間を設ける必要がない上、ルーバーウイングの室内側に何らかの部材等があっても問題とならない。これにより、室内視でホルダや連動バーを枠体に隠蔽しやすくなり、特に室内視で外観に優れるガラスルーバー窓とすることもできる。ホルダを隠蔽することにより室内外の熱移動が抑えられ、断熱性に優れるガラスルーバー窓とすることもできる。
ここで、このような滑り出し式の開閉では、滑らかな開閉が可能であり、操作性に問題が生じにくい。
【００２１】
また、複数並列して形成された室内側ルーバーガラス又は室内側ルーバーパネルの面をが面一とすれば、室内視において凹凸がなくなるため、さらに外観に優れるガラスルーバー窓を提供することができる。
【００２２】
また、ルーバーウイングよりも室内側に、縦枠等の枠部材や断熱部材を設けることができるので、このように枠部材及び断熱部材を設ければ、断熱性を向上させることができる。
【図面の簡単な説明】
【００２３】
【図１】ガラスルーバー窓の室内正面視における概略図である。
【図２】ガラスルーバー窓の縦断面を概略的に示す図である。
【図３】ガラスルーバー窓の横断面を概略的に示す図である。
【図４】ルーバーウイングの構成を説明するための概略図である。
【図５】ルーバーウイングの他の例の構成を説明するための概略図である。
【図６】パッキンの形状を説明するための概略図である。
【図７】ウイングの動作を説明するための概略図である。
【図８】ウイングの軌跡を説明するための概略図である。
【図９】パッキン近傍の動作を説明するための概略図である。
【図１０】他の例のパッキン及びその取り付け構造を説明するための概略図である。
【図１１】変形例にかかるガラスルーバー窓の縦断面を概略的に示す図である。
【発明を実施するための形態】
【００２４】
本発明の上記した作用及び利得は、次に説明する発明を実施するための形態から明らかにされる。尚、下記実施形態においては、一つのルーバーウイングに二枚のルーバーパネルが備えられたダブルガラスルーバー窓について説明するが、本発明はこれに限定されず、一つのルーバーウイングに一枚のルーバーガラスが備えられたガラスルーバー窓であっても適用することができる。
【００２５】
以下、本発明を図面に示す実施形態に基づき説明する。図１は、１つの実施形態にかかるガラスルーバー窓１００が建物開口部に取り付けられた姿勢における、当該ガラスルーバー窓１００の室内視正面図である。図１のガラスルーバー窓１００は、閉鎖の姿勢にある。図２は、図１にＩＩ−ＩＩで示した線（垂直方向）に沿った断面を概略的に示す図である。図３は、図１にＩＩＩ−ＩＩＩで示した線（水平方向）に沿った断面を概略的に示す図である。図２では紙面左側が室外側、紙面右側が室内側となっている。また、図３では紙面下側が室内側、紙面上側が室外側となっている。図が煩雑となるのを防ぐため、いずれの図においても、部材の一部は図示を省略することがある。
【００２６】
ガラスルーバー窓１００は、建物開口部の四辺に沿って配置される枠体１０、及び当該
枠体１０の枠内で、見付け方向に複数並列して設けられるルーバーウイング２０、２０、…を備えている。また、ガラスルーバー窓１００には、連動バー３０、アーム３５（図７参照）、枠体１０に具備される樹脂カバー４１、４２、４３、４４、及び操作部７０が備えられ、操作部７０を操作することで連動バー３０やアーム３５を動作させ、ルーバーウイング２０、２０、…を開閉可能としている。
【００２７】
＜枠体１０＞
枠体１０は、上下のそれぞれに水平に配置される長尺部材である横枠１１、１２、及び当該横枠１１、１２の端部を渡して設けられる長尺部材である縦枠１３、１４を備え、これらが枠状に形成されている。
【００２８】
横枠１１は、枠体１０の上横枠に相当する枠材である。横枠１１は、図２に表される断面において、片１１ａ〜１１ｆを有して、紙面奥手前に延在している。横枠１１は、略見込み方向に延びる片１１ａを備えており、当該片１１ａの見込み方向室外側端部には、見付け方向内側に延びる片１１ｂが設けられている。また、片１１ｂの見付け方向内側端部にはフィンが設けられ、当該フィンが後述する室外側ルーバーガラス２２ｂ、２２ｂ、…のうち最も上端に配置される室外側ルーバーガラス２２ｂと接して、ガラスルーバー窓１００の気密が保たれている。一方、片１１ａの見込み方向室内側端部には、見付け方向に延びる片１１ｃが設けられている。当該片１１ｃの見付け方向内側端部には、後述する樹脂カバー４１を掛止するための爪部が設けられている。また、片１１ｃの見込み方向室内側面からは、見込み方向室内側に向かって片１１ｄが延びている。片１１ａの見付け方向内側面には、見付け方向内側に向かって延びる片１１ｅが延びており、当該片１１ｅの見付け方向内側端部には、後述する樹脂カバー４１を掛止するための爪部が設けられている。そして、片１１ａの見付け方向外側面には、見付け方向外側に延びる片１１ｆが設けられ、横枠１１を建物躯体へと取り付け可能としている。
【００２９】
横枠１２は、枠体１０の下横枠に相当する枠材である。横枠１２は、図２に表される断面において、中空部１２ａ及び片１２ｂ〜１２ｈを有して、紙面奥手前に延在している。横枠１２には、略見込み方向に長辺となる略矩形状の中空部１２ａが備えられる。当該中空部１２ａの見込み方向室外側端部には、見込み方向外側に向かって片１２ｂが延びている。当該片１２ｂの見込み方向室外側端部は、見付け方向外側に向かって折り曲げられている。また、中空部１２ａの見込み方向室内側端部には、見付け方向外側に向かって片１２ｃが延びている。一方、中空部１２ａの見込み方向室内側端部には、見付け方向内側に向かって片１２ｄが延びている。当該片１２ｄの見付け方向内側端部からは、見込み方向室外側に向かって片１２ｅが延びており、当該片１２ｅには、後述する樹脂カバー４２を掛止するための爪部が設けられている。また、片１２ｄの見込み方向室内側面からは見込み方向室内側に向かって片１２ｆが延びている。当該片１２ｆの見込み方向室内側端部からは、見付け方向に延びる片１２ｇが設けられ、当該片１２ｇの見付け方向内側端部に爪部が設けられて、後述する樹脂カバー４２を掛止可能としている。そして、片１２ｇの見込み方向室内側面からは、見込み方向室内側に向かって片１２ｈが延びている。
【００３０】
縦枠１３、１４は、図３に示される断面において、それぞれ、片１３ａ〜１３ｆ、１４ａ〜１４ｆを有して、紙面奥手前に延在している。縦枠１３、１４は、見込み方向に延びる片１３ａ、１４ａを備えている。当該片１３ａ、１４ａの見込み方向室外側端部には見付け方向に延びる片１３ｂ、１４ｂが設けられている。また、片１３ａ、１４ａの見付け方向内側面には見付け方向内側に向かって延びる片１３ｃ、１４ｃが設けられ、片１３ａ、１４ａと片１３ｂ、１４ｂと片１３ｃ、１４ｃとによって形成される凹部に、後述する縦枠側アーム軸３５ｂが固定されている。片１３ａ、１４ａの見付け方向室内側面には、片１３ｃ、１４ｃよりも見込み方向室内側に、片１３ｄ、１４ｄが設けられている。片１３ｄ、１４ｄも片１３ｃ、１４ｃと同様見付け方向内側に向かって延びている。そして、片１３ａ、１４ａと片１３ｃ、１４ｃと片１３ｄ、１４ｄとによって形成される凹部に後述するスライドバー３０が挿入され、スライド溝として機能する。片１３ｄ、１４ｄの見付け方向内側端部は見込み方向室外側に向かって折り曲げられ、後述する樹脂カバー４３、４４を掛止するための爪部が設けられている。一方、片１３ａ、１４ａの片１３ｄ、１４ｄの反対側には、見付け方向外側に向かって片１３ｅ、１４ｅが延びており、横枠１３、１４を建物躯体側に取り付け可能とされている。片１３ａ、１４ａの見込み方向室内側端部には、見付け方向内側に向かって片１３ｆ、１４ｆが延びており、当該片１３ｆ、１４ｆの見付け方向内側端部に爪部が設けられて、後述する樹脂カバー４３、４４を掛止可能とされている。
【００３１】
＜ルーバーウイング２０、２０、…＞
図４は、ルーバーウイング２０の構成を示す概略図である。図４の紙面奥手前方向にルーバーガラス２２ａ、２２ｂが延在している。図３、図４に示すように、ルーバーウイング２０は、ホルダ２１とルーバーパネルとしてのルーバーガラス２２ａ、２２ｂとを有して、枠体１０の見付け方向に複数並列して配置されている。以下、ルーバーウイング２０の構成について説明する。
【００３２】
ホルダ２１、２１は、ルーバーガラス２２ａ、２２ｂの端部に設けられており（図３参照）、当該ルーバーガラス２２ａ、２２ｂを保持している。図４に示されるように、ホルダ２１には、室内側片２１ａを有しており、当該室内側片２１ａには孔２１ｂが設けられ、ここに、後述する回動軸３０ｂが挿入されて、ホルダ２１が連動バー３０へと回動可能に取り付けられる。また、ホルダ２１には、片２１ｃ、２１ｄに室内側保持部が備えられ、当該室内側保持部に室内側ルーバーガラス２２ａが固定されている。また、ホルダ２１には、片２１ｅ、２１ｆに室外側保持部が備えられ、当該室外側保持部に室外側ルーバーガラス２２ｂが固定されている。ホルダ２１とルーバーガラス２２ａ、２２ｂとを固定する具体的な形態については、ホルダ２１にルーバーガラス２２ａ、２２ｂが適切に固定される形態であれば特に限定されない。例えば、まず、ルーバーガラス２２ａ、２２ｂの端部にクッション材や樹脂カバー（樹脂製のガラスホルダ）を設ける。樹脂カバーはルーバーガラスが容易に抜け落ちることがないように、ルーバーガラス２２ａ、２２ｂの端部を挟持している。そして、樹脂カバーをホルダ２１に設けられた掛止部へと押しこむことにより、樹脂カバーを介してルーバーガラス２２ａ、２２ｂをホルダ２１に固定することができる。さらに、ホルダ２１の略中央部には、孔２１ｇが設けられ、ここにアーム軸３５ａが挿入されて、ホルダ２１がアーム３５へと回動可能に取り付けられる。ホルダ２１の材質としては、ルーバーガラス２２を保持しつつ連動バー３０やアーム３５による動作に耐え得るような、剛性を有する材質であれば特に限定されない。例えば、アルミニウムやステンレス鋼等を挙げることができる。
【００３３】
また、ホルダ２１、２１は、見込み方向室外側に面して設けられており、縦枠１３、１４の片１３ｄ、１４ｄや、後述する樹脂カバー７３、７４よりも室外側に位置している。よって、ホルダ２１、２１は、ガラスルーバー窓１００閉鎖の姿勢において、室内視で隠蔽されるように備えられている。
【００３４】
ルーバーガラス２２は、縦枠１３、１４側の両端をホルダ２１、２１によって固定、保持された見込方向に並列された２枚１組の板状のガラスである。このように２枚のルーバーガラス（ルーバーパネル）を所定の間隔を有して見込み方向に並列することにより、該間隔に空気層が形成されて、断熱性を向上させることができる。
また、図２に示されるように、ルーバーガラス２２、２２、…のうち、室内側ルーバーガラス２２ａ、２２ａ、…は、ガラスルーバー窓１００の閉鎖の姿勢で、見付け方向と略平行となるように、略垂直となるとともに、当該室内側ルーバーガラス２２ａ、２２ａ、…によって形成される室内側ガラス面が面一とされている。一方、ルーバーガラス２２、２２、…のうち室外側ルーバーガラス２２ｂ、２２ｂ、…は、ガラスルーバー窓１００の閉鎖の姿勢で、見付け方向に対してやや傾斜されて設けられており、ガラスルーバー窓２００の閉鎖の姿勢で隣接する室外側ルーバーガラス２２ｂ、２２ｂ、…と互いに重なりを有して備えられている。
【００３５】
本実施形態においては、ルーバーガラス２２は断面形状が略ハの字状となるように、ホルダ２１に固定されている。このことで、ガラスルーバー窓１００を若干開放した場合でも、室外側から室内を隠蔽することができる。さらに、重なりを有することで、気密性、断熱性の向上にも繋がる。
【００３６】
ホルダ２１へのルーバーガラス２２の固定については、接着剤等の接着手段を用いて接着された形態や、ホルダ２１の形状やルーバーガラス２２の形状を適宜加工し、互いに係合可能として固定した形態等を例示することができる。但し、ルーバーガラス２２を容易かつ確実に固定する観点から、接着剤等の接着手段により接着された形態が好ましい。
【００３７】
本実施形態では、ルーバーパネルとして２枚ともガラス板である室内側ルーバーガラス２２ａ、及び室外側ルーバーガラス２２ｂが備えられている態様を説明したが、これに限定されることはなく例えば図５に示した態様でもよい。図５は、ルーバーパネルの他の例であるルーバーウイング１２０を説明する図であり、図４に相当する図である。
【００３８】
ルーバーウイング１２０では、室内側ルーバーパネル１２２ａが熱伝導率の低い樹脂により形成されており、断熱性を向上させている。さらに、室内側ルーバーパネル１２２ａは、図５からもわかるように、その内部が中空の複数の部屋に分かれており、ここに空気層が形成される。従って、断熱性のさらなる向上を図ることが可能である。ここに適用される樹脂は、透光性を有するとともに熱伝導率が低いことが好ましく特に限定されるものではないが、性能に加え、入手性や価格、加工性の観点から例えばアクリルを挙げることができる。
【００３９】
本実施形態のガラスルーバー窓１００についてさらに説明を続ける。図２に示すように、室内側ルーバーガラス２２ａ、２２ａ、…の各上縁には、パッキン５０、５０、…が嵌め込まれており、当該パッキン５０と、隣接する室内側ルーバーガラス２２ａとが接することで、室内外の気密性、断熱性が向上されている。以下、パッキン５０の形態について、図２、及び図６を参照しつつ説明する。
【００４０】
パッキン５０は、室内側ルーバーガラス２２ａの上端に嵌め込まれ得るように、略コ字状に形成された被覆部５０ａと、隣接する室内側ルーバーガラス２２ａと接するように設けられたフィン５０ｂとを有している。被覆部５０ａのコ字状の内側には、ルーバーガラス２２を挟み込むための突起５０ｃ、５０ｃが設けられており、当該突起５０ｃ、５０ｃにより、パッキン５０がルーバーガラス２２へと強固に取り付けられる。被覆部５０ａ及びフィン５０ｂの材質については特に限定されないが、透明な樹脂からなることが好ましい。また、被覆部５０ａには、ルーバーガラスから容易に外れない程度の強度を持たせるために硬質な材料を用い、且つ、フィン５０ｂには柔軟性を持たせるために軟質な材料を用いることが好ましい。従って、被覆部５０ａとして硬質アクリル樹脂、フィン５０ｂとして軟質アクリル樹脂を用いることが特に好ましい。
【００４１】
＜連動バー３０、３０＞
連動バー３０、３０は、図３に表れるように、縦枠１３の片１３ａ、片１３ｃ、片１３ｄによって形成された凹部、及び縦枠１４の片１４ａ、片１４ｃ、片１４ｄによって形成された凹部のそれぞれに、縦枠１３、１４の長手方向に沿ってスライド可能に配置されている。連動バー３０は、縦枠１３、１４の長手方向に沿って延びる板状部３０ａと、当該板状部３０ａの見付け方向内側面に設けられる回動軸３０ｂとを有している。連動バー３０、３０は、室内視において、隠蔽されて縦枠１３、１４側に取り付けられている。連動バー３０に備えられる回動軸３０ｂの数は、ルーバーウイング２０、２０、…の数と一致している（図７参照）。上述のように、ホルダ２１の孔２１ｂが当該回動軸３０ｂへと回動可能に取り付けられており、後述する操作部７０を操作して、板状部３０ａを縦枠１３、１４の長手方向に沿って上下にスライドさせることで、ホルダ２１を動作させてルーバーウイング２０、２０が開閉される。連動バー３０とルーバーウイング２０との関係については後で詳述する。
【００４２】
＜アーム３５、３５＞
アーム３５、３５は、図３に表れるように、縦枠１３の片１３ａ、片１３ｂ、片１３ｃによって形成される凹部、及び縦枠１４の片１４ａ、片１４ｂ、片１４ｃによって形成される凹部のそれぞれに設けられたアーム固定軸３５ｂ、３５ｂに一端が回動可能に固定される。また、他端では、ホルダ２１、２１の孔２１ｂ、２１ｂにアーム軸３５ａ、３５ａが挿入されて、ホルダ２１、２１に回動可能に固定されている。すなわち、アーム３５、３５は、一端が縦枠１３、１４側に回転動可能に固定され、もう一端がルーバーウイング２０側に回動可能に固定されている。アーム３５、３５の縦枠１３、１４側端部は、見込み方向、及び見付け方向の動きが拘束され、アーム固定軸３５ｂ、３５ｂに軸止された状態にある。一方、アーム３５、３５のルーバーウイング２０側端部は、アーム固定軸３５ａ、３５ａ側を軸として、旋回可能とされるとともに、ホルダ２１、２１を軸止している。
【００４３】
＜樹脂カバー４１〜４４＞
樹脂カバー４１〜４４は、枠体１０の見付け方向内側縁に沿って設けられ、枠体１０を通しての室内外の熱移動を抑え、ガラスルーバー窓１００の断熱性向上に寄与する樹脂からなるカバー部材である。樹脂カバー４１〜４４は、図２、図３に表される断面において、見込み方向に延びる片４１ａ〜４４ａを備えている。片４１ａ〜４４ａの見込み方向室内側には、見付け方向外側に向かって爪部４１ｂ〜４４ｂが設けられており、枠体１０側に設けられた上記爪部に掛止されている。また、片４１ａ〜４４ａの見込み方向室外側には、コ字状に形成されて見付け方向内側に開口する片４１ｃ〜４４ｃが設けられており、当該片４１ｃ〜４４ｃのコ字状開口を塞ぐように係合部材が嵌め込まれている。片４１ｃ〜４４ｃのコ字状内側には任意に網戸用網の端部が挿入され、係合部材によって保持され得る。すなわち、ルーバーウイング２０の室内側に、必要に応じて網戸が形成され、虫等の室内への侵入を防ぐことが可能である。また、片４１ｃ〜４４ｃの見付け方向外側端部は、枠体１０の上記爪部に掛止されている。さらに、片４１ｃ〜４４ｃの見込み方向室外側端部からは、見込み方向室外側に向かって片、及びシール部材６０が延びている。シール部材６０は、樹脂カバー４１〜４４の室外側縁に沿って設けられており、ガラスルーバー窓１００閉鎖の姿勢で、室内側ルーバーガラス２２ａの室内側面に当接されて、室内外の気密、断熱が確保されている。
【００４４】
シール部材６０の材質としては、ガラスルーバー窓１００の気密性、断熱性を向上させ得るようなものであれば特に限定されないが、軟質の樹脂とすることが好ましく、塩化ビニル製の軟質樹脂とすることが特に好ましい。
【００４５】
樹脂カバー４１〜４４、及びシール部材６０は、見込み方向位置が略同一とされており、すなわち、ガラスルーバー窓１００において、気密、断熱ラインが同一の見込み方向位置に存在している。よって、ガラスルーバー窓１００の断熱性、気密性を向上させることができる。
【００４６】
＜操作部７０＞
操作部７０は、図１及び図３に示されるように、樹脂カバー４４の片４４ａに嵌め込まれて固定されており、操作レバー７０ａを引き出して手動によりレバー操作することで、連動バー３０を上下に動作させることができ、ガラスルーバー窓１００を開閉することが可能となる。ガラスルーバー窓１００の各ルーバーウイング２０、２０、…は、後述するように、滑り出し式に滑らかに開閉するため、比較的軽くレバー操作を行うことができる。尚、操作部７０から連動バー３０への動力伝達機構については、図面において省略してあるが、公知の伝達機構を適宜選択して用いることができる。また、操作部７０の位置については、樹脂カバー４４に限定されず、樹脂カバー４２、又は樹脂カバー４３に設けられていてもよい。
【００４７】
＜ガラスルーバー窓１００の動作＞
以下、図７、図８を参照しつつ、ガラスルーバー窓１００の開閉動作について説明する。図７は、ルーバーウイング２０、２０の動作、連動バー３０の動作、及びアーム３５、３５の動作の各関係を概略的に示す図である。図７（ａ）は、ガラスルーバー窓１００閉鎖の姿勢を示しており、図７（ｂ）〜図７（ｅ）に向かって徐々に開放されている。図が煩雑となるのを防ぐため、図７（ａ）にのみ符号を付し、図７（ｂ）〜図７（ｅ）については、符号を省略している。図８は、ガラスルーバー窓１００の開閉動作における、ルーバーウイング２０の動作軌跡を示す図である。
【００４８】
図７に示されるように、ガラスルーバー窓１００閉鎖の姿勢（図７（ａ））における連動バー３０の上端位置を基準Ｘとした場合、操作部７０（不図示）の操作によって、連動バー３０を当該基準Ｘから下方に動作させることで、ルーバーウイング２０及びアーム３５が動作してガラスルーバー窓１００が開放される。
【００４９】
連動バー３０に設けられた回動軸３０ｂは、板状部３０ａの上下動作に拘束されている。また、当該回動軸３０ｂは、ルーバーウイング２０のホルダ２１の上端に設けられた孔２１ｂに挿入されている。従って、図８に示すように、ホルダ２１の上端部は、連動バー３０の動作による上下方向運動Ａが可能とされるとともに、回動軸３０ｂを中心とする回動Ｂが可能とされている。
【００５０】
また、図７に示すように、アーム３５の上端は、縦枠１３、１４側のアーム固定軸３５ｂに軸止めされており、アーム３５はこれを軸に旋回可能とされている。例えば２つのアーム３５、３５の上端側のアーム固定軸３５ｂ、３５ｂは、それぞれガラスルーバー窓の閉鎖の姿勢（図７（ａ））で、基準Ｙ、基準Ｚの高さに位置している。そして、連動バー３０を下方に動作させてガラスルーバー窓１００を開放させても、当該高さ位置は基準Ｙ、Ｚから変化しない（図７（ｂ）〜図７（ｅ））。一方、アーム３５の他端側はアーム固定軸３５ｂを中心に旋回可能とされており、ここにアーム軸３５ａが設けられている。当該アーム軸３５ａは、ホルダ２１の略中央に設けられた孔２１ｇに挿入されてホルダ２１を保持している。よって、図８に示すように、ホルダ２１の略中央部は、アーム軸３５ａを中心とする回動Ｃが可能とされるとともに、アーム３５の固定部材３５ｂ側を中心とした旋回Ｄが可能とされている。
【００５１】
尚、図３や図７（ａ）から分かるように、アーム３５は、ルーバーウイング２０閉鎖の姿勢で、アーム３５の上端軸と下端軸とを結ぶ直線が、垂直方向よりもやや傾斜を有するような形態とされており、下端軸側が室内側寄りとなっている。このことで、ルーバーウイング２０の初期開放動作時（図７（ａ）〜図７（ｂ）の状態）において、操作レバー７０ａのレバー操作を軽くすることができ、ルーバーウイング２０を滑らかに開放させることができる。
【００５２】
さらに、上記のように、室内側ルーバーガラス２２ａ、２２ａ、…の上縁には、パッキン５０、５０、…が嵌め込まれており、ガラスルーバー窓１００の気密性、断熱性を一層向上させている。図９に、ガラスルーバー窓１００の閉鎖から開放に向かう開放初期動作（図７（ａ）〜図７（ｂ）の動作）における、パッキン５０、及び室内側ガラス２０ａ、２０ａに注目した図を示す。
【００５３】
図９（ａ）に示されるように、室内側ルーバーガラス２２ａの上縁に備えられたパッキン５０は、ガラスルーバー窓閉鎖の姿勢において、軟質のフィン５０ｂが押しつぶされた状態で、隣接する室内側ルーバーガラス２２ａの端部と接している。このとき、室内側ルーバーガラス２２ａ、２２ａは互いに面一とされている。この状態から連動バー３０を下方へと動作させると、室内側ルーバーガラス２２ｂの上端、下端ともに下方へと下がる。室内側ルーバーガラス２２ｂの上端の下方への移動量は、連動バー３０の下方への移動量にほぼ依存している。一方、下端が下方に移動するのは、上記のように、アーム３５の下端軸が上端軸よりも室内側となるように、やや傾斜されて設けられ、初期の旋回が下方への運動を含んでいるからである。従って、室内側ルーバーガラス２２ａの下方への移動量は、上端側のほうが下端側よりも大きい。そのため、パッキン５０が配置されていたとしても、ガラスルーバー窓１００を閉鎖の姿勢から問題なく開放することができ、且つ、閉鎖の姿勢で、室内側ルーバーガラス２２ａ、２２ａ、…を問題なく面一とすることができる。
【００５４】
図１０は、他の例のパッキン１５０の形態、及び該パッキン１５０と室内側ルーバーガラス２２ａとの取り付け構造を説明する図である。
パッキン１５０は、室内側ルーバーガラス２２ａの上端に嵌め込まれ得るように、略コ字状に形成された被覆部１５０ａと、隣接する室内側ルーバーガラス２２ａと接するように設けられたフィン１５０ｂとを有している。また、被覆部１５０ａとフィン１５０ｂとの接合部を含んだ図１０にＥで示した面は、極力凹凸が抑えられ、略平面上に形成されている。
パッキン１５０においても、被覆部１５０ａ及びフィン１５０ｂの材質については特に限定されないが、透明な樹脂からなることが好ましい。また、被覆部１５０ａには、ルーバーガラスから容易に外れない程度の強度を持たせるために硬質な材料を用い、且つ、フィン１５０ｂには柔軟性を持たせるために軟質な材料を用いることが好ましい。従って、被覆部１５０ａとして硬質アクリル樹脂、フィン１５０ｂとして軟質アクリル樹脂を用いることが特に好ましい。
【００５５】
また、この他の例の室内側ルーバーガラス２２ａの室内面側の上端部には、切り欠きＦが設けられている。当該切り欠きＦの深さ（室内側ルーバーガラス２２ａの厚さ方向の大きさ）は、パッキン１５０の被覆部１５０ａの１つの片の厚さと概ね同じとされている。従って、パッキン１５０を室内側ルーバーガラス２２ａの上端に嵌めこむと、図１０からわかるように、室内側ルーバーガラス２２ａの室内側面と、パッキン１５０の室内側面とが面一となる。これにより、閉鎖の姿勢において、隣接する室内側ルーバーガラス２２ａが面一となることに加え、パッキン１５０も室内側で凹凸がなく、面一となる。従って、さらに外観上優れたものとなる。
【００５６】
以上、説明した構成を有することで、建物閉鎖の姿勢（図７（ａ））にあるルーバーウイング２０、２０は、操作部７０の手動操作により、連動バー３０を徐々に下方に動作させて、滑り出し式に徐々に開放される（図７（ｂ）〜図７（ｅ））。ガラスルーバー窓１００においては、窓閉鎖の姿勢から開放に向かう際、ルーバーウイング２０の見込み方向室内側端部が、連動バー３０と略同一位置となり、それよりも室外側において動作が行われる。よって、ルーバーウイング２０よりも室内側に、ルーバーウイング２０の動作のための空間が必要とされず、ホルダ２１よりも室内側に部材が存在していても問題ない。よって、枠体１０等の見込み寸法を抑えることができる。さらに、該見込寸法を抑えた状態でルーバーウイング２０よりも室内側にホルダ２１を室内視で隠蔽するための部材（縦枠１３、１４の片１３ｄ、１４ｄや樹脂カバー４１〜４４等。図２、３参照。）を設けやすくなり、室内視の外観に優れるガラスルーバー窓１００とすることができる。また、ホルダ２１が露出することによる室内外の熱移動が抑えられるので、断熱性を向上させることができる。
【００５７】
また、滑り出し式に開閉するガラスルーバー窓１００とすることで、室内側ルーバーガラス２２ａ、２２ａ、…を面一となるように並列することができる。従って、室内視の外観が一層優れるガラスルーバー窓１００とすることができる。また、上記のように、シール部材６０を、室内側ルーバーガラス２２ａ、２２ａ、…よりも室内側に設けるとともに、当該室内側ルーバーガラス２２ａ、２２ａ、…と接するように設けることで、気密ライン、断熱ラインの見込み方向位置をそろえることができる。よって、ガラスルーバー窓１００の断熱性、気密性を従来よりも大きく向上させることができる。
【００５８】
さらに、滑り出し式に開閉するガラスルーバー窓１００とすることで、ルーバーウイング２０の重力方向に抗う動作を少なくすることができる。従って、部材重量の大きなルーバーウイング２０を用いても滑らかに操作することができる。
【００５９】
以上のように、本実施形態によれば、操作性、気密性、断熱性に優れるとともに、外観に優れるガラスルーバー窓１００とすることができる。
【００６０】
上記説明においては、ルーバーウイング２０の室内側ルーバーガラス２２ａ、２２ａ、…のみが、面一に並列された形態について説明したが、本発明はこれに限定されない。以下、図１１を参照しつつ、本発明の他の態様であるガラスルーバー窓１００’について説明する。図１１は、ガラスルーバー窓１００’の縦断面図であり、図２に相当する。図１１において、図２と同様の構成については、同一の符号を付し、説明を省略する。
【００６１】
図１１に示されるように、ガラスルーバー窓１００’においては、室内側ルーバーガラス２２ａ、２２ａ、…だけでなく、室外側ルーバーガラス２２’ｂ、２２’ｂ、…についても互いに面一となるように並列されている。このような形態とすれば、室内視だけでなく、室外視の外観にも優れるガラスルーバー窓１００’とすることができる。ここでは室内側ルーバーパネルとしてガラスである例を説明したが、室内側ルーバーパネルは図５を参照しつつ説明した、上記したように樹脂により形成されていてもよい。
【００６２】
またここでは、ルーバーウイング２０にルーバーガラス２２が二枚備えられたダブルガラスルーバー窓について説明したが、本発明はこれに限定されない。室内側ルーバーガラス２２ａのみ備えられる、ガラスルーバー窓としてもよい。但し、室内側ルーバーガラス２２ａと室外側ルーバーガラス２２ｂとの間に空気層を形成し、断熱性を向上させる観点から、ダブルガラスルーバー窓とすることが好ましい。
【００６３】
また、上記説明においては、室内側ルーバーガラス２２ａの上縁に透明なパッキン５０が設けられる形態について説明したが、本発明はこれに限定されない。室内側ルーバーガラス２２ａ、２２ａ、…の上端部又は下端部の形状を変形させることで、ルーバーガラス同士が気密を保持しつつ当接し、面一とされるような形態としてもよい。但し、容易に気密可能する観点からは、透明なパッキン５０を用いることが好ましい。
【００６４】
また、上記説明においては、樹脂性カバー４１〜４４の見込み方向室外側端部に、シール部材６０が備えられる形態について説明したが、本発明はこれに限定されない。シール部材が枠体１０（アルミニウム材）に備えられていてもよい。但し部材のメンテナンスを容易とするとともに、気密ラインや断熱ラインを見込み方向同一位置に設けて気密性、断熱性を向上させる観点から、着脱可能とされた樹脂性カバー４１〜４４にシール部材が備えられる形態が好ましい。
【００６５】
以上、現時点において最も実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うガラスルーバー窓もまた本発明の技術的範囲に包含されるものとして理解されなければならない。
【符号の説明】
【００６６】
１０  枠体
１１  上横枠
１２  下横枠
１３、１４  縦枠
２０  ルーバーウイング
２１  ホルダ
２２  ルーバーガラス（ルーバーパネル）
３０  連動バー
４１、４２、４３、４４  樹脂カバー
５０  パッキン
６０  シール部材
７０  操作部
１００  ガラスルーバー窓
【図１】
2010248893.tif 000003
【図２】
2010248893.tif 000004
【図３】
2010248893.tif 000005
【図４】
2010248893.tif 000006
【図５】
2010248893.tif 000007
【図６】
2010248893.tif 000008
【図７】
2010248893.tif 000009
【図８】
2010248893.tif 000010
【図９】
2010248893.tif 000011
【図１０】
2010248893.tif 000012
【図１１】
2010248893.tif 000013